(57)【特許請求の範囲】
【請求項１】
軒先の左右両端部分にそれぞれ固定される左右の支持部と、当該支持部間を往復動して雪庇を切る薄板状のカッタ部と、左右の支持部の上方に両支持部間に亘って配設された案内部と、当該案内部の下方でこの案内部と対向するように前記両支持部間に亘って配設された往復動作部と、当該往復動作部を動作させる伝達部を備え、前記カッタ部の一端を無限軌道構造とする前記往復動作部の一部を構成するベルト又は、チェーンに固定状に連結する一方、カッタ部の他端にローラーを設け、そのローラーを前記左右の支持部間にたるまないように張設した案内部に引掛けて、ローラーが案内部に沿って転がるように連結し、
伝達部を前記往復動作部における無限軌道構造におけるベルトが掛け渡されるプーリー又は、チェーンが掛け渡されるスプロケットと同軸で一体回転するプーリーに垂れ下がるように巻き掛けた操作ベルトとし、この操作ベルトを引っ張ってプーリーを回転させ、この回転を、前記プーリーと同軸のプーリー又は、スプロケットを介して、ベルト又は、チェーンの往復動作として伝達することによって、カッタ部を左右往復動作させて雪庇を切るようにしている雪庇切断装置。
【発明の詳細な説明】
【０００１】
【発明の属する技術分野】
本発明は、屋根の軒先部分に発生する雪庇を切る雪庇切断装置に関する。
【０００２】
【従来の技術】
従来の雪庇切断に用いられる装置は、屋根の軒先にワイヤを張り、当該ワイヤにリングを通し、このリングに被覆ワイヤを吊着してなるものであり、雪庇を切るときには、被覆ワイヤを切断作業者が引っ張ってワイヤに沿ってスライドさせ、スライドする被覆ワイヤによって雪庇を切断するようになっている。（特許文献１参照）
【０００３】
【特許文献１】
特開２００１−４０９０８号（〔０００５〕、〔図１〕および〔図２〕）
【０００４】
しかしながら、特許文献１に記載の装置の雪庇切断構造では、雪庇を切る被覆ワイヤがワイヤに吊着されていることから、雪庇切断時の被覆ワイヤのスライドによって、被覆ワイヤが軒先に接触して屋根を破損させてしまう可能性が有る。
また、雪庇切断時に落下する固まった雪から切断作業者を保護する目的から、被覆ワイヤのスライド範囲外から被覆ワイヤを引っ張る必要がある。
そのため、被覆ワイヤが相当な長さとなって、これを引っ張る作業が行い難いものであった。
さらには、固まった雪を被覆ワイヤで切断することから、この切断時の摩擦抵抗力が作用して切断し難くなる。
つまり、前記した装置では、作業容易性および作業効率性について改良点が残されている、
【０００５】
【発明が解決しようとする課題】
そこで、本発明は、作業容易性と作業効率性の向上を課題とし、この課題を解決する雪庇切断装置の提供を目的とする。
【０００６】
【課題を解決するための手段】
上記した目的を達成するために本発明は下記の技術的手段を採用した。
その技術的手段は、軒先の左右両端部分にそれぞれ固定される左右の支持部と、当該支持部間を往復動して雪庇を切る薄板状のカッタ部と、左右の支持部の上方に両支持部間に亘って配設された案内部と、当該案内部の下方でこの案内部と対向するように前記両支持部間に亘って配設された往復動作部と、当該往復動作部を動作させる伝達部を備え、前記カッタ部の一端を無限軌道構造とする前記往復動作部の一部を構成するベルト又は、チェーンに固定状に連結する一方、カッタ部の他端にローラーを設け、そのローラーを前記左右の支持部間にたるまないように張設した案内部に引掛けて、ローラーが案内部に沿って転がるように連結し、伝達部を前記往復動作部における無限軌道構造におけるベルトが掛け渡されるプーリー又は、チェーンが掛け渡されるスプロケットと同軸で一体回転するプーリーに垂れ下がるように巻き掛けた操作ベルトとし、この操作ベルトを引っ張ってプーリーを回転させ、この回転を前記プーリーと同軸のプーリー又は、スプロケットを介して、ベルト又は、チェーンの往復動作として伝達することによって、カッタ部を左右往復動作させて雪庇を切るようにした雪庇切断装置にしたことである（請求項１）。
【０００７】
【発明の実施の形態】
カッタ部は、雪庇を切るために可能な強度を確保して可能な限り薄いものあるいは細いものが好ましい。
これを実現できる素材を例示すれば、金属や非鉄金属または硬質の合成樹脂あるいはセラミック等の薄板材、または、ピアノ線のような細いワイヤー材である。
【０００９】
案内部の構成としては、たとえば、ワイヤー、硬質素材からなる棒体または管体、さらにはレール構造が例示できる。
往復動作部の構成としては、ベルトやチェーンによる無限軌道が例示できる。伝達部の構成としては、前記無限軌道の場合、ベルトまたはチェーンを巻き掛けるローラまたはスプロケットに正逆の回転力を伝達可能な構成のすべてを含み、手動または自動のいずれでもよい。
【００１０】
【実施例】
以下、本発明の実施例を説明する。
図1および図２は、本発明の雪庇切断装置（以下、「装置」という）１を軒先Ａに配設した状態を示している。
装置１は、軒先Ａの左右両端部分にそれぞれ着脱可能に固定される左右の支持部２，３と、当該支持部２，３間を往復動して雪庇を切るカッタ部４と、当該カッタ部４を往復動させるための動作部５と、当該動作部５に動力を伝達する伝達部６とから構成されている。
【００１１】
支持部２，３は、側面略Ｌ型に形成され、短手側の端部に軒先Ａに固定する固定板２１，３１を一体に備えており、当該固定板２１，３１をボルト等の固定具を用いて軒先Ａに固定することによって取り付けられている。
【００１２】
カッタ部４は、ピアノ線を用いており、上端部には後述する動作部５の案内部５１に往復動可能に引っ掛けられるローラ４１が、後端部には後述する往復動作部５２に固定される固定具４２がそれぞれ備えられている。
【００１３】
動作部５は、前記左右の支持部２，３の上方に両支持部間に亘って配設された前述の案内部５１と、当該案内部５１と上下方向に対向するように前記支持部２，３間に亘って配設された前述の往復動作部５２とで構成されている。
詳述すると、案内部５１は、たるまない程度に張った状態とするワイヤである。
往復動作部５２は、ベルト駆動の無限軌道構造のものであり、前記支持部２，３の短手側に回転可能に設けられたプーリー５３，５４にベルト５５を掛け渡して構成されている。
そして、前記ローラ４１を案内部５１に引っ掛け、固定具４２をベルト５５に固定することによって、カッタ部４が動作部５に対して取り付けられている。
【００１４】
伝達部６は本実施例では手動式のものである。
詳述すると、支持部２における短手側に、前記プーリー５４と同軸、かつ当該プーリー５４とに一体回転するプーリー６１を設け、当該プーリー６１に操作ベルト６２を垂れ下がるように巻掛けて構成されている。
このようにした伝達部６の操作方法は、操作ベルト６２の垂れ下がる一方側および他方側を交互に引くことによって行う。
そして、その引き力がプーリー６１の回転となり、その回転がプーリー５３に伝達されて往復動作部５２が作動してカッタ部４が往動または復動することによって雪庇（図示せず）が切断される。
また、操作ベルト６２は、下端部が通常ではプーリー６１の真下に位置し、この位置で操作しても切断されて落下する雪庇の影響を受けることは極めて少ないが、さらに、落下する雪庇を確実に避けるためには、操作ベルト６２の下端部を支持部２から外側方向へ引っ張って当該位置から操作すればよい。
【００１５】
なお、本発明は例示した実施例に限定されるものではなく、特許請求の範囲に記載された内容から逸脱しない範囲で他の構成による実施が可能である。
【００１６】
【発明の効果】
本発明は以上説明したとおり下記の優れた効果を有する。
伝達部によってカッタ部が支持部間を、軒先に沿って往復動して雪庇を切断する構成であるので、軒先に対して傷を付けてしまうようなことは無い。
さらに、伝達部の操作力をカッタの往復動に変換して伝達するものであるので、雪庇切断作業を容易、かつ迅速に行うことができる。
したがって、作業容易性と作業効率性が向上した雪庇切断装置を提供することができる。
【図面の簡単な説明】
【図１】本発明にかかる雪庇切断装置の正面図。
【図２】図１の側面図。
【図３】要部拡大図。
【図４】要部拡大図。
【符号の説明】
１：雪庇切断装置
２：支持部
３：支持部
４：カッタ
５：動作部
６：伝達部
Ａ：軒先
【図１】
0003728442.tif 000002
【図２】
0003728442.tif 000003
【図３】
0003728442.tif 000004
【図４】
0003728442.tif 000005